(57)【特許請求の範囲】
【請求項１】
弾丸が配される弾倉部と、
グリップ部内に配されてガス圧を貯留する蓄圧室と、
バレル部の後端部分に設けられて上記弾倉部の一端の近傍に位置する装弾室と、
受圧部が設けられ、上記バレル部に沿う移動が可能とされたスライダ部と、
上記受圧部の前方に位置して上記蓄圧室に連通する圧力室を形成する圧力室形成部と、
上記圧力室から上記装弾室に向かって伸びる第１のガス通路を形成する第１のガス通路形成部と、
上記圧力室から上記受圧部に向かう第２のガス通路を形成する第２のガス通路形成部と、
上記装弾室と上記圧力室形成部との間において上記第１のガス通路形成部に移動可能に嵌合し、上記第１のガス通路に連なって上記装弾室に至る第３のガス通路を形成する状態をとる可動部材と、
上記第１及び第２のガス通路の夫々を上記圧力室から遮断する状態から所定の期間上記第１及び第２のガス通路の夫々を上記圧力室に連通させる状態に移行して、上記蓄圧室を通じて上記圧力室に供給されたガス圧を、上記第１及び第３のガス通路を通じて上記装弾室に供給するとともに上記第２のガス通路を通じて上記受圧部に作用させ、該受圧部に作用するガス圧による上記スライダ部の後退及び該スライダ部の後退に伴う上記可動部材の後退を生じさせて、上記弾倉部から上記装弾室への弾丸の供給を準備する動作を行うバルブ形成部と、
を備えて構成される自動弾丸供給機構付玩具銃。
【請求項２】
トリガー部の操作に連動して回動するハンマー部と、回動する上記ハンマー部により殴打されるとき、バルブ形成部を第１及び第２のガス通路の夫々を圧力室から遮断する状態から所定の期間上記第１及び第２のガス通路の夫々を上記圧力室に連通させる状態に移行させる可動ピン部材とを備えることを特徴とする請求項１記載の自動弾丸供給機構付玩具銃。
【請求項３】
圧力室形成部が、蓄圧室を形成する蓄圧室形成部と一体的に形成されることを特徴とする請求項１記載の自動弾丸供給機構付玩具銃。
【請求項４】
バルブ形成部が圧力室形成部が形成する圧力室内に配されることを特徴とする請求項１記載の自動弾丸供給機構付玩具銃。
【請求項５】
バルブ形成部を受圧部に向かう方向に付勢する付勢手段を備え、該付勢手段によって上記バルブ形成部が第１及び第２のガス通路の夫々を圧力室に連通させる状態から上記第１及び第２のガス通路の夫々を上記圧力室から遮断する状態に戻されることを特徴とする請求項４記載の自動弾丸供給機構付玩具銃。
【請求項６】
第１のガス通路形成部，第２のガス通路形成部及びバルブ形成部が、一体に形成されて圧力室形成部に対して移動可能とされたガス圧制御部材の部分とされることを特徴とする請求項１記載の自動弾丸供給機構付玩具銃。
【請求項７】
トリガー部の操作に連動して回動するハンマー部と、回動する上記ハンマー部により殴打されるとき、ガス圧制御部材を移動させて、バルブ形成部を第１及び第２のガス通路の夫々を圧力室から遮断する状態から所定の期間上記第１及び第２のガス通路の夫々を上記圧力室に連通させる状態に移行させる可動ピン部材とを備えることを特徴とする請求項６記載の自動弾丸供給機構付玩具銃。
【請求項８】
第１のガス通路形成部が圧力室形成部と一体的に形成され、第２のガス通路形成部及びバルブ形成部が一体に形成されて圧力室形成部に対して移動可能とされたガス圧制御部材の部分とされることを特徴とする請求項１記載の自動弾丸供給機構付玩具銃。
【請求項９】
トリガー部の操作に連動して回動するハンマー部と、回動する上記ハンマー部により殴打されるとき、ガス圧制御部材を移動させて、バルブ形成部を第１及び第２のガス通路の夫々を圧力室から遮断する状態から所定の期間上記第１及び第２のガス通路の夫々を上記圧力室に連通させる状態に移行させる可動ピン部材とを備えることを特徴とする請求項８記載の自動弾丸供給機構付玩具銃。
【請求項１０】
バルブ形成部が前方バルブ形成部と後方バルブ形成部とを有し、上記前方バルブ形成部が、第１のガス通路を圧力室から遮断する状態から所定の期間上記第１のガス通路を上記圧力室に連通させる状態に移行するとともに、上記後方バルブ形成部が、第２のガス通路を上記圧力室から遮断する状態から所定の期間上記第２のガス通路を上記圧力室に連通させる状態に移行する動作を行うことを特徴とする請求項９記載の自動弾丸供給機構付玩具銃。
【請求項１１】
第１のガス通路形成部及び第２のガス通路形成部が圧力室形成部と一体的に形成され、バルブ形成部が上記圧力室形成部内に移動可能に配されたガス圧制御部材の部分とされることを特徴とする請求項１記載の自動弾丸供給機構付玩具銃。
【請求項１２】
トリガー部の操作に連動して回動するハンマー部と、回動する上記ハンマー部により殴打されるとき、ガス圧制御部材を移動させて、バルブ形成部を第１及び第２のガス通路の夫々を圧力室から遮断する状態から所定の期間上記第１及び第２のガス通路の夫々を上記圧力室に連通させる状態に移行させる可動ピン部材とを備えることを特徴とする請求項１１記載の自動弾丸供給機構付玩具銃。
【請求項１３】
バルブ形成部が前方バルブ形成部と後方バルブ形成部とを有し、上記前方バルブ形成部が、第１のガス通路を圧力室から遮断する状態から所定の期間上記第１のガス通路を上記圧力室に連通させる状態に移行するとともに、上記後方バルブ形成部が、第２のガス通路を上記圧力室から遮断する状態から所定の期間上記第２のガス通路を上記圧力室に連通させる状態に移行する動作を行うことを特徴とする請求項１２記載の自動弾丸供給機構付玩具銃。
【請求項１４】
ガス圧制御部材の外部に移動可能に配された付加バルブ形成部を備え、該付加バルブ形成部が、バルブ形成部が第１及び第２のガス通路を圧力室に連通させる状態にあるもとで、上記第１のガス通路を上記圧力室から遮断する状態をとることを特徴とする請求項１１記載の自動弾丸供給機構付玩具銃。
【請求項１５】
付加バルブ形成部が、第３のガス通路及び該第３のガス通路が連なる第１のガス通路に生じたガス圧低下により移動して、上記第１のガス通路を圧力室から遮断する状態をとることを特徴とする請求項１４記載の自動弾丸供給機構付玩具銃。
【発明の詳細な説明】
【０００１】
【発明の属する技術分野】
本願の特許請求の範囲に記載された発明は、バレル部に設けられた装弾室に対し、ガス圧により発射されることになる弾丸を、ガス圧を利用して供給する自動弾丸供給機構を備えた玩具銃に関する。
【０００２】
【従来の技術】
遊戯銃（エアソフトガン）と称される玩具銃にあっては、通常、外観上の色，形状に加えて、見かけ上の動作も実物と同様なものとなるように作成される。斯かる玩具銃のうち、トリガーの操作に応じてバレルに取り付けられたスライダが移動するようになされた銃を模したものにおいて、バレルの後端部分に設けられた装弾室に装填された弾丸の発射をガス圧により行うことに加えて、装弾室に対する弾丸の供給もガス圧を利用して行うようにされたものが知られている。
【０００３】
このようなスライダを備えた玩具銃として、ガス圧を貯留する蓄圧室（蓄圧部），蓄圧室から伸びるガス通路，ガス通路を開閉制御する開閉弁，弾倉部（弾丸収容部）等がグリップ部内に配され、開閉弁がガス通路を開状態にするとき、蓄圧部からガス通路を通じて供給されるガス圧により、装弾室（装弾部）に装填された弾丸の発射とスライダの後退とが行われ、後退したスライダの前進により装弾室に対する弾倉部からの弾丸の供給が行われるようにされたものが、従来提案されている（例えば、特許文献１、特許文献２参照。）。
【０００４】
斯かる従来提案されている玩具銃、例えば、特許文献１に記載された玩具銃（ブローバック式ガスガン）にあっては、上述のグリップ部内に配された蓄圧室，ガス通路，開閉弁，弾倉部等に加えて、バレル（銃身）に対して往復動可能に配されたスライダ内に、スライダに固定されたピストン，ピストンが挿入されるシリンダと装弾室に向かうノズルとを形成し、スライダに対して移動可能とされた可動部材，可動部材内において移動するノズル弁等が配され、さらに、トリガー（引き金）とトリガーの操作に連動して回動するハンマー（打撃部材）とが設けられる。可動部材内に配されたノズル弁は、可動部材内の装弾室に向かうガス流路（発射用ガス流路）を開にする状態と閉にする状態とを選択的にとる。
【０００５】
そして、特許文献１に記載された玩具銃においては、ノズル弁が可動部材内の装弾室に向かうガス流路を開にする状態にあるもとでトリガーが引かれると、ハンマーが、前方に回動して、グリップ部内に配された開閉弁に蓄圧室から伸びるガス通路を開にする状態をとらせ、それにより、蓄圧室内のガス圧が蓄圧室から伸びるガス通路を通じて可動部材内に供給され、さらに、可動部材内の装弾室に向かうガス流路を通じて装弾室に供給されて、装弾室に装填された弾丸がガス圧により発射される。続いて、弾丸の発射により生じるガス流により、ノズル弁が可動部材内の装弾室に向かうガス流路を閉にする状態とされ、可動部材内に供給されたガス圧がシリンダ内のピストンを後方に押圧して、ピストンを後退させる。このとき、ピストンはスライダを伴って後退し、スライダの後退はそれに遅れた可動部材の後退も生じさせ、弾倉部の上方に弾丸が弾倉から外部に取り出され得るスペースが形成される。なお、スライダの後退は、ハンマーを後方に回転させて、グリップ部内に配された開閉弁を蓄圧部から伸びるガス通路を閉にする状態をとらせる。
【０００６】
その後、最後方位置まで後退したスライダが、可動部材を伴っての前進に転じ、前進する可動部材が、弾倉部から弾丸を取り出してそれを装弾室に装填し、スライダは後退前の位置に戻る。このようにして、蓄圧室からのガス圧が利用されて、装弾室に装填された弾丸の発射と装弾室に弾丸を供給するためのスライダの後退とが行われる。
【０００７】
【特許文献１】
特開２００２−１６８５９３号公報
【特許文献２】
登録実用新案第３０４９９００号公報
【０００８】
【発明が解決しようとする課題】
上述の如くの、従来提案された、装弾室が設けられたバレルに沿う移動を行い得るスライダを備え、ガス圧を貯留する蓄圧室，蓄圧室から伸びるガス通路，ガス通路を開閉制御する開閉弁，弾倉等がグリップ部内に配されて、開閉弁がガス通路を開状態にするとき、蓄圧部からガス通路を通じて供給されるガス圧により、装弾室に装填された弾丸の発射とスライダの後退とが行われ、後退したスライダの前進により装弾室に対する弾倉からの弾丸の供給が行われるようにされた玩具銃にあっては、蓄圧室から伸びるガス通路がグリップ部内に配された開閉弁によって開閉制御される構成がとられている。それにより、グリップ部における開閉弁が設けられる部分の構造が複雑化されており、また、グリップ部内における開閉弁の設置に要される容積が、グリップ部内に設けられる蓄圧室の容積を十分大なるものとすることを困難にしているという不都合がまねかれている。
【０００９】
さらに、グリップ部内に設けられた開閉弁は、グリップ部外に設けられて回動するハンマー部によって、蓄圧室から伸びるガス通路を開にする状態をとるものとされるが、そのためには、ハンマー部の回動を開閉弁に伝達する中間部材が設けられることが必要とされ、グリップ部の構造がますます複雑化されるとともに、構成部品点数の増大がまねかれている。
【００１０】
斯かる点に鑑み、本願の特許請求の範囲に記載された発明は、装弾室が設けられたバレル部に沿う移動を行い得るスライダ部を備え、グリップ部内にガス圧を貯留する蓄圧室が配され、蓄圧室から供給されるガス圧が利用されて、装弾室に装填された弾丸の発射と装弾室に弾丸を供給するためのスライダ部の後退とが行われ、しかも、グリップ部の構造が比較的簡単であって構成部品点数が低減されるとともに、グリップ部内に設けられる蓄圧室の容積を十分大とすることができるものとされる自動弾丸供給機構付玩具銃を提供する。
【００１１】
【課題を解決するための手段】
本願の特許請求の範囲における請求項１から請求項１５までのいずれかに記載された発明に係る自動弾丸供給機構付玩具銃は、弾丸が配される弾倉部と、グリップ部内に配されてガス圧を貯留する蓄圧室と、バレル部の後端部分に設けられて弾倉部の一端の近傍に位置する装弾室と、受圧部が設けられてバレル部に沿う移動が可能とされたスライダ部と、受圧部の前方に位置して蓄圧室に連通する圧力室を形成する圧力室形成部と、圧力室から装弾室に向かって伸びる第１のガス通路を形成する第１のガス通路形成部と、圧力室から受圧部に向かう第２のガス通路を形成する第２のガス通路形成部と、装弾室と圧力室形成部との間において第１のガス通路形成部に移動可能に嵌合し、第１のガス通路に連なって装弾室に至る第３のガス通路を形成する状態をとる可動部材と、第１及び第２のガス通路の夫々を圧力室から遮断する状態から所定の期間第１及び第２のガス通路の夫々を圧力室に連通させる状態に移行して、蓄圧室を通じて圧力室に供給されたガス圧を、第１及び第３のガス通路を通じて装弾室に供給するとともに第２のガス通路を通じて受圧部に作用させ、受圧部に作用するガス圧によるスライダ部の後退及びスライダ部の後退に伴う可動部材の後退を生じさせて、弾倉部から装弾室への弾丸の供給を準備する動作を行うバルブ形成部と、を備えて構成される。
【００１２】
上述の如くに構成される本願の特許請求の範囲における請求項１から請求項１５までのいずれかに記載された発明に係る自動弾丸供給機構付玩具銃にあっては、バルブ形成部が、第１及び第２のガス通路の夫々を圧力室から遮断する状態から所定の期間第１及び第２のガス通路の夫々を圧力室に連通させる状態に移行して、蓄圧室を通じて圧力室に供給されたガス圧を、第１及び第３のガス通路を通じて装弾室に供給するとともに第２のガス通路を通じて受圧部に作用させる。斯かる際におけるバルブ形成部の第１及び第２のガス通路の夫々を圧力室から遮断する状態から所定の期間圧力室に連通させる状態への移行は、例えば、請求項２に記載された発明に係る自動弾丸供給機構付玩具銃のように、ハンマー部により殴打される可動ピン部材が備えられたもとで、その可動ピン部材によってなされる。
【００１３】
そして、装弾室に供給されたガス圧によって装弾室に装填された弾丸が発射され、さらに、第２のガス通路を通じて受圧部に作用するガス圧によるスライダ部の後退及びそれに伴う可動部材の後退が生じ、弾倉部から装弾室への弾丸の供給が準備される。即ち、圧力室からのガス圧が利用されて、装弾室に装填された弾丸の発射と弾倉部から装弾室への弾丸の供給を行うためのスライダ部の後退とが行われるのである。
【００１４】
このようにして、本願の特許請求の範囲における請求項１から請求項１５までのいずれかに記載された発明に係る自動弾丸供給機構付玩具銃にあっては、グリップ部内にガス圧を貯留する蓄圧室が配され、圧力室形成部に蓄圧室に連通する圧力室が形成されるもとで、蓄圧室に通じた圧力室からガス通路を通じて供給されるガス圧が利用されて、装弾室からの弾丸の発射と装弾室に弾丸を供給するためのスライダの後退とが行われるのである。そして、グリップ部には、蓄圧室は配されるが、それから伸びるガス通路を開閉する開閉弁として機能するものは設けられない。それゆえ、グリップ部の構造が比較的簡単とされて構成部品点数が低減されるとともに、グリップ部内に設けられる蓄圧室の容積を十分大とすることができることになる。
【００１５】
【発明の実施の形態】
図２は、本願の特許請求の範囲における請求項１から請求項７までのいずれかに記載された発明に係る自動弾丸供給機構付玩具銃の一例を示す。図２に示される例においては、トリガー部１，インナーバレル２ａ及びアウターバレル２ｂを有したバレル部２，バレル部２の後端部分に設けられた装弾室３，ハンマー部４、及び、グリップ部６を有したフレーム８と、グリップ部６内に着脱可能に収容された弾倉部９とが備えられるとともに、バレル部２に沿って移動可能に設けられたスライダ部１０が配されている。装弾室３は、ゴム材等の弾性摩擦材で成る環状部材５によって形成されており、環状部材５はバレル部２の後端部分に係合している。グリップ部６内には、例えば、液化ガスが注入されてガス圧を貯留する蓄圧室１２が配されている。
【００１６】
さらに、フレーム８には可動バー１３が配されており、トリガー部１は、可動バー１３におけるグリップ部６から突出した前方側部分に設けられた軸１４に係合するとともに、トグルスプリング１５が巻装された軸１６を介してフレーム８により支持されている。トリガー部１は、引かれる操作が行われるとき、軸１６を支軸とし、トグルスプリング１５の付勢力に抗して、図２において実線により示される如くの、フレーム８に設けられた当接部８ａから離隔した基準位置から、図２において一点鎖線により示される如くの、フレーム８に設けられた当接部８ａに当接する発射完了位置まで回動する。可動バー１３は、トリガー部１の動作に応じて前後動する。可動バー１３の後方側となる位置には、グリップ部６に軸１８を介して取り付けられた回動レバー２０が配されている。
【００１７】
スライダ部１０は、フレーム８に設けられたバレル部２に嵌合しており、その前方部分を成す第１の部分１０ａと、第１の部分１０ａと一体的に形成されてバレル部２の後方側に位置せしめられ、その後方部分を成す第２の部分１０ｂとを有している。そして、スライダ部１０は、少なくともトリガー部１が基準位置にあるもとでは、第１の部分１０ａがその前端部をフレーム８の前端部に近接させる位置におかれるとともに、第２の部分１０ｂがグリップ部６の上方となる位置におかれることになる、図２に示される如くの基準位置をとる。スライダ部１０における第１の部分１０ａは、フレーム８におけるトリガー部１の前方側に配されてバレル部２に沿って伸びるガイド部材２１にも嵌合しており、スライダ部１０は、全体がバレル部２に沿っての移動が可能なものとされている。ガイド部材２１には、コイルスプリング２２が嵌装されており、コイルスプリング２２は、ガイド部材２１を介してスライダ部１０の第１の部分１０ａに係合し、スライダ部１０の全体をフレーム８の前方側に向けて付勢している。
【００１８】
なお、バレル部２におけるアウターバレル２ｂは、図示が省略されているが、スライダ部１０に連結されており、スライダ部１０のバレル部２に沿う移動に伴って所定の距離だけ移動するものとされている。
【００１９】
スライダ部１０における第２の部分１０ｂには、図１に明瞭に示される如くに、有底筒状部２５が設けられている。このスライダ部１０における有底筒状部２５の底部は、受圧部２６を形成している。また、有底筒状部２５の底部には、その底部を貫通してバレル部２に沿う方向に伸び、ハンマー部４により選択的に殴打される可動ピン部材２７が移動可能に配されている。
【００２０】
有底筒状部２５の底部を貫通する可動ピン部材２７は、有底筒状部２５内に位置する前方側部分２７ａ及びフランジ部２７ｂを有している。さらに、可動ピン部材２７は、有底筒状部２５の底部から外部に突出して係止部２７ｃを形成する後端部を有している。そして、可動ピン部材２７の前方側部分２７ａは、その前端部からフランジ部２７ｂに向けて徐々に断面径が大となる形状とされている。
【００２１】
ハンマー部４は、基端部分４ａと基端部分４ａから伸びる殴打部分４ｂとを有し、基端部分４ａに配された軸２８を介してフレーム８における後方側部分に回動可能に取り付けられている。ハンマー部４における基端部分４ａは、回動レバー２０が選択的に係合せしめられるものとされており、回動レバー２０は、軸１８に巻装されたトグルスプリング２９により、ハンマー部４の基端部分４ａに近接する方向に付勢されている。斯かるハンマー部４は、グリップ部６に対する弾倉部９の装着が行われる初期状態においては、基端部分４ａに係合する回動レバー２０による位置固定がなされている。また、ハンマー部４には、グリップ部６の下方側部分内に配されたコイルスプリング３３にキャップ３４を介して係合する一端部を有したハンマーストラット３５の他端が、ピンを介して取り付けられており、ハンマー部４は、コイルスプリング３３により、殴打部分４ｂを可動ピン部材２７に近接させる方向に付勢されている。
【００２２】
さらに、図１に明瞭に示される如く、フレーム８におけるグリップ部６の上方となる部分には、内部に受圧部２６の前方に位置して蓄圧室１２に連通した圧力室４０を形成する圧力室形成部４１が、蓄圧室１２を形成する蓄圧室形成部４２と一体的に形成されたものとして設けられている。そして、圧力室形成部４１の内部から外部に突出するものとして、ガス圧制御部材４５が配されている。ガス圧制御部材４５は、圧力室４０内に配されたバルブ形成部５０と、圧力室４０から装弾室３に向かって伸びるガス通路５１を形成するガス通路形成部５２と、圧力室４０から受圧部２６に向かうガス通路５５を形成するガス通路形成部５７との夫々を部分として、一体形成されたものとされている。即ち、図３のＡ，Ｂ及びＣに示される如くに、バルブ形成部５０，ガス通路５１を形成するガス通路形成部５２及びガス通路５５を形成するガス通路形成部５７の夫々が、一体形成されたガス圧制御部材４５の部分とされているのである。
【００２３】
ガス通路形成部５７が形成するガス通路５５は、可動ピン部材２７の前方側部分２７ａの形状に対応した形状を有するものとされていて、ガス通路形成部５７と可動ピン部材２７とは、可動ピン部材２７の前方側部分２７ａがガス通路５５にその後方端から挿入されるものとされての相互係合状態を選択的にとる。そして、ガス通路形成部５２が形成するガス通路５１の圧力室４０に連なる部分及びガス通路形成部５７が形成するガス通路５５の圧力室４０に連なる部分は、共通の部分とされていて、連結通路５６を形成している。連結通路５６は、複数の連通孔６７を介して外部と通じており、それにより、連通孔６７を通じて圧力室４０に連通する状態を選択的にとる。
【００２４】
圧力室形成部４１における前方側部分４１ａ及び後方側部分４１ｂの夫々には透孔が設けられている。前方側部分４１ａに設けられた透孔は、環状部材４４及び環状シール部材４７が設けられていて、それらをガス通路形成部５２が貫通するものとされており、また、後方側部分４１ｂに設けられた透孔には、環状シール部材４８が設けられていて、それをガス通路形成部５７が貫通するものとされている。環状部材４４及び環状シール部材４７を貫通するガス通路形成部５２は、その外周面を環状シール部材４７に密接係合させている。
【００２５】
ガス圧制御部材４５は、圧力室４０内における環状部材４４とバルブ形成部５０との間の位置に配されたコイルスプリング６４によって、全体が、スライダ部１０における有底筒状部２５の底部、即ち、受圧部２６に向かう方向に付勢されている。それにより、ガス圧制御部材４５は、コイルスプリング６４の付勢力に従ってバルブ形成部５０を環状シール部材４８の傾斜面に当接させる後方位置と、コイルスプリング６４の付勢力に抗してバルブ形成部５０を環状シール部材４８から離隔させる前方位置とを選択的にとるものとされている。
【００２６】
圧力室形成部４１は、図２に示される如くに、スライダ部１０が基準位置をとるとき、そのスライダ部１０の有底筒状部２５に係合して、圧力室４０をスライダ部１０における第２の部分１０ｂ内に位置させるものとされる。圧力室４０には、蓄圧室１２から、蓄圧室１２に注入された液化ガスが気化して得られるガス圧が導入される。
【００２７】
装弾室３と圧力室形成部４１との間には、圧力室４０から装弾室３に向かって伸びるガス通路５１を形成するガス通路形成部５２に移動可能に嵌合した可動部材４６が配されている。可動部材４６の後端部には、スライダ部１０の第２の部分１０ｂに相互間距離をおいて設けられた前方側当接部１１ａ及び後方側当接部１１ｂの夫々に選択的に当接する突出部４６ａが設けられている。また、可動部材４６の内部には、ガス通路形成部５２が形成するガス通路５１に連なるガス通路６８が形成されている。斯かる可動部材４６は、スライダ部１０が基準位置をとるもとでは、突出部４６ａがスライダ部１０における後方側当接部１１ｂと相互当接状態にされ、それにより、前端部を装弾室３を形成する環状部材５の後端部に係合させる前方位置を維持するものとされる。
【００２８】
弾倉部９は、グリップ部６の下方端部に設けられた開口からグリップ部６内に挿入され、その底部９ａがグリップ部６の下方端部に当接係合せしめられて、弾倉部９のグリップ部６内における位置決めが行われる。弾倉部９内には、装填された複数の弾丸ＢＢを最上端部９ｂ側に付勢するコイルスプリング６９が配されている。
【００２９】
グリップ部６内に弾倉部９が位置決めされた際には、図１及び図２に示される如く、弾倉部９の最上端部９ｂが装弾室３の近傍に配される。そして、弾倉部９の最上端部９ｂが、基準位置をとるスライダ部１０によって前方位置を維持するものとされている可動部材４６により閉塞される。それにより、弾倉部９に装填された複数の弾丸ＢＢがコイルスプリング６９の付勢力に抗する方向に押圧される。また、基準位置をとるスライダ部１０にあっては、それに配された可動ピン部材２７が、その前方側部分２７ａがガス圧制御部材４５におけるガス通路形成部５７により形成されるガス通路５５にその後方端から挿入されて、ガス圧制御部材４５との相互係合状態におかれる。そして、可動ピン部材２７は、コイルスプリング６４の付勢力により後方位置をとるガス圧制御部材４５により後方に押圧されて、そのフランジ部２７ｂを有底筒状部２５の底部に係合させて係止部２７ｃを有底筒状部２５から離隔させた第１の位置を維持するものとされる。
【００３０】
可動ピン部材２７に第１の位置を維持させる後方位置をとるガス圧制御部材４５にあっては、複数の連通孔６７が、環状シール部材４８の傾斜面に当接するバルブ形成部５０により圧力室４０に通じない状態とされ、それにより、連絡通路５６が圧力室４０から遮断される。
【００３１】
上述の如くに構成された本願の特許請求の範囲における請求項１から請求項７までのいずれかに記載された発明に係る自動弾丸供給機構付玩具銃の一例においては、弾倉部９がグリップ部６内に位置決めされたもとにおいて、基準位置をとるスライダ部１０が、手動操作により一旦後退せしめられた後その手動操作から解放され、コイルスプリング２２の付勢力によって再び基準位置に戻される、初期動作が行われる。
【００３２】
斯かる際において、スライダ部１０は、その後退に伴って、前端部を環状部材５に係合させる前方位置をとって弾倉部９の最上端部９ｂを閉塞する可動部材４６に対して、それに設けられた突出部４６ａに後方側当接部１１ｂを当接させる状態から前方側当接部１１ａを当接させる状態に移行し、それにより可動部材４６を後退させる。このようにスライダ部１０の後退に伴って後退する可動部材４６は、図４に示される如くに、ガス圧制御部材４５におけるガス通路形成部５２が形成するガス通路５１に連なるガス通路６８を短縮させつつ、弾倉部９の最上端部９ｂを開状態として圧力室形成部４１に当接することになる後方位置に向かうものとされる。それにより、コイルスプリング６９の付勢力によって弾倉部９に装填された弾丸ＢＢのうち最上方位置にあるものが最上端部９ｂ内に押し上げられ、最上端部９ｂにおいて保持される。
【００３３】
そして、スライダ部１０が、その後退に続く前進に伴って、後方位置に到達した可動部材４６に対し、それに設けられた突出部４６ａに前方側当接部１１ａを当接させる状態から後方側当接部１１ｂを当接させる状態に移行し、それにより、可動部材４６を前進させる。前進する可動部材４６は、ガス通路５１に連なるガス通路６８を伸長させつつ、その前端部を弾倉部９の最上端部９ｂ内に挿入させて、そこに保持された弾丸ＢＢをフレーム８に設けられたテーパー部８ｂ（図４）に沿って装弾室３へと搬送し、弾倉部９の最上端部９ｂを閉塞して前端部を環状部材５に係合させることになる前方位置に到達する。その結果、図５に示される如くに、環状部材５により形成される装弾室３内に弾丸ＢＢが供給される。装弾室３内に供給された弾丸ＢＢは、環状部材５と環状部材５に係合する可動部材４６の前端部とによって、装弾室３内に適正に位置固定される。
【００３４】
また、スライダ部１０が手動操作により後退せしめられる際には、基端部分４ａに係合する回動レバー２０によって位置固定されているハンマー部４が、先ず、可動ピン部材２７により押圧され、続いて、スライダ部１０の有底筒状部２５によって押圧される。それにより、ハンマー部４は、図１及び図２に示される如くの、殴打部分４ｂを第１の位置におかれた可動ピン部材２７の係止部２７ｃから若干離隔させた位置から、図４に示される如くに、回動レバー２０をトグルスプリング２９の付勢力に抗する方向に押圧しつつ、コイルスプリング３３の付勢力に抗する方向に回動する。そして、スライダ部１０が手動操作から解放されて前進する際には、ハンマー部４は、その基端部分４ａに係合する回動レバー２０によって、図５に示される如くの、殴打部分４ｂを第１の位置におかれた可動ピン部材２７の係止部２７ｃから比較的大とされる所定の距離だけ離隔した基準回動位置に維持される。さらに、このとき、トリガー部１は、スライダ部１０の後退及びその後の基準位置に戻る前進に伴って、図２に示される基準位置から、図４に示される如くの、発射完了位置に近接した位置まで移動した後、図５に示される如くの、基準位置と発射完了位置との間となる発射準備位置に戻される。
【００３５】
このように、スライダ部１０が手動操作により一旦後退せしめられた後再び基準位置に戻された状態のもとで、トリガー部１が引かれ、それによりトリガー部１が図５に示される如くの発射準備位置から発射完了位置に向けて回動すると、それに伴って可動バー１３が前進する。前進する可動バー１３は、図６に示される如く、その後方側部分に設けられた係止部１３ａにより、回動レバー２０をトグルスプリング２９の付勢力に抗する方向に回動させて、ハンマー部４における基端部分４ａと回動レバー２０との相互係合を解除させる。
【００３６】
可動バー１３の前進により回動レバー２０との相互係合状態から解放されたハンマー部４は、図５に示される如くの基準回動位置から、コイルスプリング３３の付勢力に従う方向に回動し、トリガー部１が発射完了位置におかれる時期と略同時期において、図６に示される如く、可動ピン部材２７を殴打する状態をもって有底筒状部２５の底部に殴打部分４ｂを当接させる位置におかれる。
【００３７】
ハンマー部４により殴打された可動ピン部材２７は、フランジ部２７ｂを有底筒状部２５の底部に係合させる第１の位置から、図７において明瞭に示される如くの、後端部とされる係止部２７ｃを有底筒状部２５の底部に係合させる第２の位置へと移動する。それにより、ガス通路形成部５７を可動ピン部材２７に係合させたガス圧制御部材４５が、圧力室４０内に配されたバルブ形成部５０を環状シール部材４８の傾斜面に当接させる後方位置から、コイルスプリング６４の付勢力に抗する方向に移動し、図６及び図７に示される如く、バルブ形成部５０を環状シール部材４８から離隔させる前方位置をとる。即ち、ガス圧制御部材４５は、ハンマー部４により殴打された可動ピン部材２７を通じて伝達されるハンマー部４の押圧力により、後方位置から前方位置へと移動するものとされ、その前方位置を慣性により所定の期間維持する。
【００３８】
斯かるガス圧制御部材４５の後方位置から前方位置への移動に伴うバルブ形成部５０の移動によって、圧力室４０から遮断された状態にあった連結通路５６が、連通孔６７を通じて圧力室４０に連通する状態とされる。それにより、圧力室４０から遮断された状態にあったガス通路５１が、連結通路５６を通じて圧力室４０に連通する状態とされ、蓄圧室１２を通じて圧力室４０に供給されたガス圧が、ガス通路５１及びそれに連なるガス通路６８を通じて急速に装弾室３に供給される状態が得られる。また、それとともに、圧力室４０から遮断された状態にあったガス通路５５が、連結通路５６を通じて圧力室４０に連通する状態とされ、蓄圧室１２を通じて圧力室４０に供給されたガス圧が、ガス通路５５に急速に流入する。即ち、ガス圧制御部材４５におけるバルブ形成部５０は、トリガー部１を引く操作に連動して、ガス通路５１及びガス通路５５の夫々を圧力室４０から遮断する状態から、ガス通路５１及びガス通路５５の夫々を連結通路５６を通じて圧力室４０に連通させる状態に移行するのであり、それにより、グリップ部６に配された蓄圧室１２を通じて圧力室４０に供給されたガス圧を、ガス通路５１及び６８を通じて装弾室３に供給するともに、ガス通路５５に流入させることになる。
【００３９】
このようにして、蓄圧室１２を通じて圧力室４０に供給されたガス圧がガス通路５１及び６８を通じて装弾室３に供給されることにより、図５〜７に示される如くに装弾室３に装填された弾丸ＢＢが、蓄圧室１２からのガス圧によって発射され、装弾室３から環状部材５の前方側、即ち、インナーバレル２ａ内へと移動せしめられる。インナーバレル２ａ内へと移動した弾丸ＢＢは、図８に示される如くに、その後方側となるインナーバレル２ａ内における空間を急速に拡大しつつインナーバレル２ａの前端部に向かって進んでいき、図９に示される如くに、インナーバレル２ａの前端部さらにはアウターバレル部２ｂの前端部からバレル部２の外部に射出される。
【００４０】
一方、ガス通路５５に流入するガス圧は、前方側部分２７ａをガス通路５５にその後方端から挿入させてガス圧制御部４５におけるガス通路形成部５７に係合した可動ピン部材２７を、後方に押圧する。斯かる際、有底筒状部２５の底部に係止部２７ｃを係合させて第２の位置をとる可動ピン部材２７は、その係止部２７ｃにハンマー部４の殴打部分４ｂが当接した状態にあり、ガス通路５５に流入したガス圧により押圧されることにより、係止部２７ｃによってハンマー部４をコイルスプリング３３の付勢力に抗する方向に回動させつつ後退し、ガス圧制御部材４５におけるガス通路形成部５７からその後方側に離隔する。それにより、ガス通路５５に流入するガス圧は、ガス通路５５を通じて、スライダ部１０の有底筒状部２５内に流入し、有底筒状部２５の底部、即ち、受圧部２６に作用してそれを後方に押圧し、スライダ部１０が、図８に示される如くに、コイルスプリング２２の付勢力に抗して基準位置から後退する。このようにして後退するスライダ部１０の有底筒状部２５は、可動ピン部材２７と共にあるいは可動ピン部材２７に代わって、ハンマー部４をコイルスプリング３３の付勢力に抗して回動させる。
【００４１】
このようなスライダ部１０の基準位置からの後退に際しては、圧力室形成部４１の後端部とその圧力室形成部４１に係合するスライダ部１０の有底筒状部２５との間に、スライダ部１０の後退に伴って容積が拡大される可変容積圧力室７０が形成される。その結果、有底筒状部２５の底部が形成する受圧部２６と可動ピン部材２７における前方側部分２７ａ及びフランジ部２７ｂとには、ガス通路５５を通じて可変容積圧力室７０に供給される圧力室４０からのガス圧が作用せしめられる。
【００４２】
受圧部２６及び可動ピン部材２７に作用するガス圧によって可変容積圧力室７０を拡大させつつ後退するスライダ部１０により回動せしめられるハンマー部４は、可動ピン部材２７に対する位置規制を急速に弱めていく。それに伴い、可動ピン部材２７が、それに作用するガス圧により有底筒状部２５の底部に係止部２７ｃを係合させる状態から、図９に示される如く、有底筒状部２５の底部にフランジ部２７ｂを係合させる状態に移行する。さらに、図示が省略されているが、後退するスライダ部１０における第２の部分１０ｂの下端側部分により、可動バー１３がその後方側部分が下降するものとなる方向に回動せしめられる。それにより、可動バー１３の後方側部分に設けられた係止部１３ａと回動レバー２０との相互係合が解除され、回動レバー２０がトグルスプリング２９の付勢力に従う方向に回動して、ハンマー部４の基端部分４ａに当接する。
【００４３】
斯かる際、ガス圧制御部材４５は、装弾室３に装填された弾丸ＢＢが発射された後、スライダ部１０の後退中に、ガス圧制御部材４５に前方位置を維持させていた慣性力を失って、図９に示される如くに、コイルスプリング６４の付勢力を受けて後方位置へと移動し、再びバルブ形成部５０を環状シール部材４８の傾斜面に当接させる。それにより、環状シール部材４８の傾斜面に当接したバルブ形成部５０によって、連結通路５６が圧力室４０から遮断され、それに伴って、ガス通路５１及びガス通路５５の夫々が圧力室４０から遮断されて、圧力室４０から連結通路５６を通じたガス通路５１及びガス通路５５の夫々へのガス圧の供給が停止される。即ち、ガス圧制御部材４５は、装弾室３に装填された弾丸ＢＢが発射された後、自動的に、ガス通路５１及びガス通路５５の夫々を連結通路５６を通じて圧力室４０に連通させる状態から、ガス通路５１及びガス通路５５の夫々を圧力室４０から遮断する状態に戻るのである。
【００４４】
圧力室４０から連結通路５６を通じたガス通路５５へのガス圧の供給が停止された後においても、スライダ部１０は、その慣性と、ガス通路５５及び可変容積圧力室７０内に残存するガス圧とによって後退を継続する。そして、後退を継続するスライダ部１０が所定の位置に到達すると、圧力室形成部４１との相互係合状態におかれていた有底筒状部２５が圧力室形成部４１から離脱し、それにより圧力室形成部４１と有底筒状部２５との間に、図１０に示される如くの、ガス通路５５内及び可変容積圧力室７０内のガス圧を大気に放出させる空隙７１が形成される。このようにして可変容積圧力室７０の密封が解除された後においても、スライダ部１０は、その慣性によりさらに後退を継続し、ハンマー４をコイルスプリング３３の付勢力に抗して回動させる。
【００４５】
そして、スライダ部１０は、その慣性による後退により最後方位置をとる直前に、前方側当接部１１ａを可動部材４６の突出部４６ａに当接させる状態をとる。それにより、前端部を環状部材５に挿入させた前方位置をとる可動部材４６が、ガス通路６８を短縮させつつ、スライダ部１０の後退に伴って後退し、スライダ部１０が、図１１に示される如くの最後方位置をとるとき、圧力室形成部４１に当接する後方位置をとって、弾倉部９の最上端部９ｂを開状態となす。最上端部９ｂが開状態にされた弾倉部９にあっては、それに充填された弾丸ＢＢのうち最上方位置にあるものが最上端部９ｂに押し上げられて保持される。
【００４６】
スライダ部１０は最後退位置におかれると、直ちにコイルスプリング２２の付勢力により基準位置に向けて前進する状態におかれる。このようにスライダ部１０が後退から前進に転じた際、ハンマー部４が、その基端部分４ａに回動レバー２０が係合することにより位置固定される。また、前進に転じたスライダ部１０は、前方側当接部１１ａを可動部材４６の突出部４６ａに当接させた状態から、後方側当接部１１ｂを可動部材４６の突出部４６ａに当接させる状態に移行する。それにより、後方位置をとる可動部材４６が、ガス通路６８を伸長させつつスライダ部１０の前進に伴って前進し、その前端部を弾倉部９の最上端部９ｂ内に挿入させ、そこに保持された弾丸ＢＢを、フレーム８に設けられたテーパー部８ｂに沿って装弾室３へと搬送する。それにより、スライダ部１０が基準位置をとるものとされたとき、図５に示される如くに、前方位置をとるものとされた可動部材４６により、弾倉部９の最上端部９ｂが閉塞されるとともに装弾室３に弾丸ＢＢが確実に供給される。
【００４７】
このようにして装弾室３に弾丸ＢＢを供給する動作は、ガス圧制御部材４５におけるバルブ形成部５０が、ガス通路５１を連結通路５６を通じて圧力室に４０に連通させるとともに、ガス通路５５も連結通路５６を通じて圧力室に４０に連通させることに端を発している。従って、ガス通路５１を連結通路５６を通じて圧力室に４０に連通させるとともに、ガス通路５５を連結通路５６を通じて圧力室に４０に連通させるバルブ形成部５０は、蓄圧室１２を通じて圧力室４０に供給されたガス圧をガス通路５５を通じて受圧部２６及び可動ピン部材２７に作用させ、スライダ部１０の後退及びそれに伴う可動部材４６の後退を生じさせて、弾倉部９から装弾室３への弾丸ＢＢの供給を準備する動作を行うことになる。
【００４８】
スライダ部１０が再度基準位置をとるものとされたとき、圧力室形成部４１とスライダ部１０の有底筒状部２５とが相互係合状態におかれて、圧力室４０がスライダ部１０における第２の部分１０ｂ内に位置せしめられ、それにより、第１の位置をとる可動ピン部材２７の前方側部分２７ａに、後方位置をとるガス圧制御部材４５におけるガス通路形成部５７が係合して、可動ピン部材２７にその第１の位置を維持させる。また、基端部分４ａに係合する回動レバー２０によって位置固定されたハンマー部４は、殴打部分４ｂが第１の位置をとる可動ピン部材２７の係止部２７ｃから比較的大とされる所定の距離だけ離隔した基準回動位置を維持するものとされる。斯かるもとで、図５に示される如くに、トリガー部１が発射完了位置から発射準備位置に戻されると、可動バー１３が、トリガー部１が引かれる前の位置に状態復帰せしめられる。そして、トリガー部１が再び引かれることにより、上述の如くにして、ハンマー部４が回動せしめられ、そのハンマー部４の回動に応じて装弾室３に装填された弾丸ＢＢが発射されて、その弾丸ＢＢの発射に続いてスライダ部１０の往復動が行われ、それに伴う可動部材４６の往復動により装弾室３に対する弾丸ＢＢの供給が行われる。
【００４９】
上述のように、図２に示される例にあっては、ガス圧制御部材４５が圧力室形成部４１と共にグリップ部６の上方に配されるとともに、可動部材４６が圧力室形成部４１の前方に配され、それにより、グリップ部６に配された蓄圧室１２からのガス圧の制御に関わるバルブ形成部５０及びガス通路５１，５５及び６８が、スライダ部１０が基準位置をとるときそのスライダ部１０におけるバレル部２の後方となる部分内に位置して、バルブ形成部部５０及びガス通路５１，５５及び６８のいずれもがグリップ部６に配されたものとはされない。従って、グリップ部６の構造が比較的簡単とされて構成部品点数が低減されるとともに、グリップ部６内に設けられる蓄圧室１２の容積を、バルブ形成部，ガス通路等によるに規制を受けることなく、十分大とすることができることになる。
【００５０】
図１２及び図１３は、本願の特許請求の範囲における請求項１から請求項５まで及び請求項８から請求項１０までのいずれかに記載された発明に係る自動弾丸供給機構付玩具銃の一例を示す。図１２及び図１３に示される例においては、図１及び図２に示される例における圧力室形成部４１とは異なる圧力室形成部４１’、及び、図１及び図２に示される例におけるガス圧制御部材４５とは異なるガス圧制御部材８０が備えられているが、その他の構成は、図１及び図２に示される例の場合と略同様とされている。それゆえ、図１２及び図１３に示される各部及び各部材であって図１及び図２に示される例における各部及び各部材に対応するものには、図１及び図２に示される例における各部及び各部材と共通の符号が付されており、それらについての重複説明は省略される。
【００５１】
図１２及び図１３に示される例において、グリップ部６に配された蓄圧室１２を形成する蓄圧室形成部４２と一体的に構成されて、内部に圧力室４０を形成する圧力室形成部４１’には、圧力室４０から装弾室３に向かって伸びるガス通路８１を形成するガス通路形成部８２が設けられている。
【００５２】
そして、装弾室３と圧力室形成部４１’との間には、ガス通路８１を形成するガス通路形成部８２に移動可能に嵌合した可動部材４６が配されている。可動部材４６の内部には、ガス通路形成部８２が形成するガス通路８１に連なって装弾室３に向かうガス通路６８が形成されている。
【００５３】
圧力室形成部４１’の内部には、図１３に明瞭に示される如くに、ガス圧制御部材８０が圧力室形成部４１’に対して移動可能に配されている。このガス圧制御部材８０は、圧力室４０内に配された後方バルブ形成部８４と、圧力室４０から受圧部２６に向かうガス通路８５を形成するガス通路形成部８６と、後方バルブ形成部８４からガス通路８１内へと伸びる前方バルブ形成部８７との夫々を部分として一体形成されたものとなっており、ガス通路形成部８６が形成するガス通路８５は、複数の連通孔８３を形成する部分を通じて圧力室４０に連通する状態をとるようにされている。即ち、図１４のＡ，Ｂ及びＣに示される如くに、後方バルブ形成部８４，ガス通路８５を形成するガス通路形成部８６及び後方バルブ形成部８４から伸びる前方バルブ形成部８７の夫々が、一体形成されたガス圧制御部材８０の部分とされているのである。
【００５４】
ガス通路形成部８６が形成するガス通路８５は、スライダ部１０の有底筒状部２５に設けられた可動ピン部材２７の前方側部分２７ａの形状に対応した形状を有するものとされている。そして、スライダ部１０が図１２及び図１３に示されるように基準位置をとるとき、ガス通路形成部８６と可動ピン部材２７とは、可動ピン部材２７の前方側部分２７ａがガス通路８５にその後方端から挿入されるものとされての相互係合状態をとる。
【００５５】
圧力室形成部４１’における前方側部分４１ａ’及び後方側部分４１ｂ’の夫々には透孔が設けられている。前方側部分４１ａ’に設けられた透孔は、環状部材４４及び環状シール部材４７が設けられていて、それをガス圧制御部材８０の前方バルブ形成部８７が貫通するものとされており、また、後方側部分４１ｂ’に設けられた透孔には、環状シール部材４８が設けられていて、それをガス圧制御部材８０のガス通路形成部８６が貫通するものとされている。
【００５６】
ガス圧制御部材８０は、圧力室４０内における環状部材４４と後方バルブ形成部８４との間の位置に配されたコイルスプリング８８によって、全体が、スライダ部１０における有底筒状部２５の底部、即ち、受圧部２６に向かう方向に付勢されている。それにより、ガス圧制御部材８０は、コイルスプリング８８の付勢力に従って後方バルブ形成部８４を環状シール部材４８の傾斜面に当接させる後方位置と、コイルスプリング８８の付勢力に抗して後方バルブ形成部８４を環状シール部材４８から離隔させる前方位置とを選択的にとるものとされている。
【００５７】
ガス圧制御部材８０が、コイルスプリング８８の付勢力に従って後方バルブ形成部８４を環状シール部材４８の傾斜面に当接させる後方位置をとるとき、後方バルブ形成部８４は、複数の連通孔８３を圧力室４０から遮断し、それにより、ガス通路８５を圧力室４０から遮断する。また、ガス圧制御部材８０が後方位置をとるときには、それにおける前方バルブ形成部８７が環状シール部材４７に密接係合し、ガス通路形成部８２が形成するガス通路８１を圧力室４０から遮断する。
【００５８】
上述のような圧力室形成部４１’及びガス圧制御部材８０を備えた図１２及び図１３に示される例においても、グリップ部６内に弾倉部９が位置決めされた際には、弾倉部９の最上端部９ｂが装弾室３の近傍に配される。そして、弾倉部９の最上端部９ｂが、基準位置をとるスライダ部１０によって前方位置を維持するものとされている可動部材４６により閉塞される。それにより、弾倉部９内に装填された複数の弾丸ＢＢがコイルスプリング６９の付勢力に抗する方向に押圧される。また、基準位置をとるスライダ部１０にあっては、その有底筒状部２５に配された可動ピン部材２７が、コイルスプリング８８の付勢力に従った後方位置をとるガス圧制御部材８０との相互係合状態をとるものとされる。
【００５９】
ガス圧制御部材８０が、コイルスプリング８８の付勢力に従って後方位置をとり、可動ピン部材２７との相互係合状態にあるもとにおいて、圧力室形成部４１’内においては、ガス圧制御部材８０における前方バルブ形成部８７が環状シール部材４７に密接係合し、それによって、ガス通路形成部８２が形成するガス通路８１を圧力室４０から遮断するとともに、ガス圧制御部材８０における後方バルブ形成部８４が環状シール部材４８の傾斜面に当接し、それにより、複数の連通孔８３を圧力室４０から遮断して、ガス通路形成部８６が形成するガス通路８５を圧力室４０から遮断する。
【００６０】
このような本願の特許請求の範囲における請求項１から請求項５まで及び請求項８から請求項１０までのいずれかに記載された発明に係る自動弾丸供給機構付玩具銃の一例においても、弾倉部９がグリップ部６内に位置決めさたもとにおいて、基準位置をとるスライダ部１０が手動操作により一旦後退せしめられた後その手動操作から解放され、コイルスプリング２２の付勢力によって再び基準位置に戻される、初期動作が行われる。
【００６１】
斯かる際において、スライダ部１０は、その後退に伴って、前端部を装弾室３を形成する環状部材５に係合させる前方位置をとって弾倉部９の最上端部９ｂを閉塞する可動部材４６に対して、それに設けられた突出部４６ａに後方側当接部１１ｂを当接させる状態から前方側当接部１１ａを当接させる状態に移行し、それにより可動部材４６を後退させる。このようにスライダ部１０の後退に伴って後退する可動部材４６は、図１５に示される如くに、ガス圧制御部材８０に設けられたガス通路形成部８２が形成するガス通路８１に連なるガス通路６８を短縮させつつ、弾倉部９の最上端部９ｂを開状態として圧力室形成部４１’に当接することになる後方位置に向かうものとされる。それにより、コイルスプリング６９の付勢力によって弾倉部９に装填された弾丸ＢＢのうち最上方位置にあるものが最上端部９ｂ内に押し上げられ、最上端部９ｂにおいて保持される。
【００６２】
そして、スライダ部１０が、その後退に続く前進に伴って、後方位置に到達した可動部材４６に対し、それに設けられた突出部４６ａに前方側当接部１１ａを当接させる状態から後方側当接部１１ｂを当接させる状態に移行し、それにより、可動部材４６を前進させる。前進する可動部材４６は、ガス通路８１に連なるガス通路６８を伸長させつつ、その前端部を弾倉部９の最上端部９ｂ内に挿入させて、そこに保持された弾丸ＢＢをフレーム８に設けられたテーパー部８ｂ（図１５）に沿って装弾室３へと搬送し、弾倉部９の最上端部９ｂを閉塞して前端部を環状部材５に係合させることになる前方位置に到達する。その結果、図１６に示される如くに、環状部材５により形成される装弾室３内に弾丸ＢＢが供給される。装弾室３内に供給された弾丸ＢＢは、環状部材５と環状部材５に係合する可動部材４６の前端部とによって、装弾室３内に適正に位置固定される。
【００６３】
また、スライダ部１０が手動操作により後退せしめられる際には、基端部分４ａに係合する回動レバー２０によって位置固定されているハンマー部４が、先ず、可動ピン部材２７により押圧され、続いて、スライダ部１０の有底筒状部２５によって押圧される。それにより、ハンマー部４は、図１２及び図１３に示される如くの、殴打部分４ｂを可動ピン部材２７の係止部２７ｃから若干離隔させた位置から、図１５に示される如くに、回動レバー２０をトグルスプリング２９の付勢力に抗する方向に押圧しつつ、コイルスプリング３３の付勢力に抗する方向に回動する。そして、スライダ部１０が手動操作から解放されて前進する際には、ハンマー部４は、その基端部分４ａに係合する回動レバー２０によって、図１６に示される如くの、殴打部分４ｂを可動ピン部材２７の係止部２７ｃから比較的大とされる所定の距離だけ離隔した基準回動位置に維持される。さらに、このとき、トリガー部１は、スライダ部１０の後退及びその後の基準位置に戻る前進に伴って、図１２に示される基準位置から、図１６に示される如くの発射準備位置へと移動する。
【００６４】
このように、スライダ部１０が手動操作により一旦後退せしめられた後再び基準位置に戻された状態のもとで、トリガー部１が引かれ、それによりトリガー部１が図１６に示される如くの発射準備位置から発射完了位置に向けて回動すると、それに伴って可動バー１３が前進する。前進する可動バー１３は、図１７に示される如く、その後方側部分に設けられた係止部１３ａにより、回動レバー２０をトグルスプリング２９の付勢力に抗する方向に回動させて、ハンマー部４における基端部分４ａと回動レバー２０との相互係合を解除させる。
【００６５】
可動バー１３の前進により回動レバー２０との相互係合状態から解放されたハンマー部４は、図１６に示される如くの基準回動位置から、コイルスプリング３３の付勢力に従う方向に回動し、トリガー部１が発射完了位置におかれる時期と略同時期において、図１７に示される如く、可動ピン部材２７を殴打する状態をもって有底筒状部２５の底部に殴打部分４ｂを当接させる位置におかれる。
【００６６】
ハンマー部４により殴打された可動ピン部材２７は、フランジ部２７ｂを有底筒状部２５の底部に係合させる状態から、図１８において明瞭に示される如くの、後端部とされる係止部２７ｃを有底筒状部２５の底部に係合させる状態へと移行する。それにより、ガス通路形成部８６を可動ピン部材２７に係合させたガス圧制御部材８０が、圧力室４０内に配された後方バルブ形成部８４を環状シール部材４８の傾斜面に当接させる後方位置から、コイルスプリング８８の付勢力に抗する方向に移動し、図１７及び図１８に示される如くに、後方バルブ形成部８４を環状シール部材４８から離隔させる前方位置をとる。即ち、ガス圧制御部材８０は、ハンマー部４により殴打された可動ピン部材２７を通じて伝達されるハンマー部４の押圧力により、後方位置から前方位置へと移動するものとされ、その前方位置を慣性により所定の期間維持する。
【００６７】
斯かるガス圧制御部材８０の後方位置から前方位置への移動に伴う後方バルブ形成部８４の移動によって、圧力室４０から遮断された状態にあった複数の連通孔８３が圧力室４０に連通する状態とされる。それにより、圧力室４０から遮断された状態にあったガス通路８５が、複数の連通孔８３を通じて圧力室４０に連通する状態とされ、蓄圧室１２を通じて圧力室４０に供給されたガス圧が、ガス通路８５に急速に流入する状態が得られる。
【００６８】
また、それとともに、ガス圧制御部材８０の後方位置から前方位置への移動により、ガス圧制御部材８０における前方バルブ形成部８７が、前方、即ち、装弾室３に向かう方向に移動し、環状シール部材４７に密接係合した状態から環状シール部材４７との密接係合を解除する状態に移行する。その結果、圧力室４０から遮断された状態にあったガス通路８１が、圧力室４０に連通する状態とされる。
【００６９】
このようにして、圧力室４０から遮断された状態にあったガス通路８１が、圧力室４０に連通する状態とされることにより、蓄圧室１２を通じて圧力室４０に供給されたガス圧が、ガス通路８１及びそれに連なるガス通路６８を通じて急速に装弾室３に供給される状態が得られる。即ち、ガス圧制御部材８０における前方バルブ形成部８７は、トリガー部１を引く操作に連動して、ガス通路８１を圧力室４０から遮断する状態から、ガス通路８１を圧力室４０に連通させる状態に移行するのであり、それにより、グリップ部６に配された蓄圧室１２を通じて圧力室４０に供給されたガス圧をガス通路８１及び６８を通じて装弾室３に供給することになる。
【００７０】
蓄圧室１２を通じて圧力室４０に供給されたガス圧がガス通路８１及び６８を通じて装弾室３に供給されることにより、図１６〜１８に示される如くに装弾室３に装填された弾丸ＢＢが、蓄圧室１２からのガス圧によって発射され、装弾室３から環状部材５の前方側、即ち、インナーバレル２ａ内へと移動せしめられる。インナーバレル２ａ内へと移動した弾丸ＢＢは、図１９に示される如くに、その後方側となるインナーバレル２ａ内における空間を急速に拡大しつつインナーバレル２ａの前端部に向かって進んでいき、図２０に示される如く、インナーバレル２ａの前端部さらにはアウターバレル部２ｂの前端部からバレル部２の外部に射出される。
【００７１】
一方、ガス通路８５に流入するガス圧は、前方側部分２７ａをガス通路８５にその後方端から挿入させてガス圧制御部材８０におけるガス通路形成部８６に係合する可動ピン部材２７を、後方に押圧する。斯かる際、有底筒状部２５の底部に係止部２７ｃを係合させた可動ピン部材２７は、その係止部２７ｃにハンマー部４の殴打部分４ｂが当接した状態にあり、ガス通路８５に流入したガス圧により押圧されることにより、係止部２７ｃによってハンマー部４をコイルスプリング３３の付勢力に抗する方向に回動させつつ後退し、ガス圧制御部材８０におけるガス通路形成部８６からその後方側に離隔する。それにより、ガス通路８５に流入するガス圧は、ガス通路８５を通じて、スライダ部１０の有底筒状部２５内に流入し、有底筒状部２５の底部、即ち、受圧部２６に作用してそれを後方に押圧し、スライダ部１０が、図１９に示される如くに、コイルスプリング２２の付勢力に抗して基準位置から後退する。このようにして後退するスライダ部１０の有底筒状部２５は、可動ピン部材２７と共にあるいは可動ピン部材２７に代わって、ハンマー部４をコイルスプリング３３の付勢力に抗して回動させる。
【００７２】
このようなスライダ部１０の基準位置からの後退に際しては、圧力室形成部４１’の後端部とその圧力室形成部４１’に係合するスライダ部１０の有底筒状部２５との間に、スライダ部１０の後退に伴って容積が拡大される可変容積圧力室７０が形成される。その結果、有底筒状部２５の底部が形成する受圧部２６と可動ピン部材２７における前方側部分２７ａ及びフランジ部２７ｂとには、ガス通路８５を通じて可変容積圧力室７０に供給される圧力室４０からのガス圧が作用せしめられる。
【００７３】
受圧部２６及び可動ピン部材２７に作用するガス圧によって可変容積圧力室７０を拡大させつつ後退するスライダ部１０により回動せしめられるハンマー部４は、可動ピン部材２７に対する位置規制を急速に弱めていく。それに伴って、可動ピン部材２７が、それに作用するガス圧により有底筒状部２５の底部に係止部２７ｃを係合させる状態から、図２０に示される如く、有底筒状部２５の底部にフランジ部２７ｂを係合させる状態に移行する。さらに、図示が省略されているが、後退するスライダ部１０における第２の部分１０ｂの下端側部分により、可動バー１３がその後方側部分が下降するものとなる方向に回動せしめられる。それにより、可動バー１３の後方側部分に設けられた係止部１３ａと回動レバー２０との相互係合が解除され、回動レバー２０がトグルスプリング２９の付勢力に従う方向に回動して、ハンマー部４の基端部分４ａに当接する。
【００７４】
斯かる際、ガス圧制御部材８０は、装弾室３に装填された弾丸ＢＢが発射された後、スライダ部１０の後退中に、ガス圧制御部材８０に前方位置を維持させていた慣性力を失って、図２０に示される如くに、コイルスプリング８８の付勢力を受けて後方位置へと移動し、再び、後方バルブ形成部８４を環状シール部材４８の傾斜面に当接させるとともに、前方バルブ形成部８７を環状シール部材４７に密接係合させる。それにより、環状シール部材４８の傾斜面に当接した後方バルブ形成部８４によって、複数の連通孔８３が圧力室４０から遮断され、それに伴って、ガス通路８５が圧力室４０から遮断されて、圧力室４０から複数の連通孔８３を通じたガス通路８５へのガス圧の供給が停止されるとともに、前方バルブ形成部８７によって、ガス通路８１が圧力室４０から遮断されて、圧力室４０からガス通路８１へのガス圧の供給が停止される。即ち、ガス圧制御部材８０は、装弾室３に装填された弾丸ＢＢが発射された後、自動的に、ガス通路８１及びガス通路８５の夫々を圧力室４０に連通させる状態から、ガス通路８１及びガス通路８５の夫々を圧力室４０から遮断する状態に戻るのである。
【００７５】
圧力室４０から複数の連通孔８３を通じたガス通路８５へのガス圧の供給が停止された後においても、スライダ部１０は、その慣性と、ガス通路８５及び可変容積圧力室７０内に残存するガス圧とによって後退を継続する。そして、後退を継続するスライダ部１０が所定の位置に到達すると、圧力室形成部４１’との相互係合状態におかれていた有底筒状部２５が圧力室形成部４１’から離脱し、それにより圧力室形成部４１’と有底筒状部２５との間に、図２１に示される如くの、ガス通路８５内及び可変容積圧力室７０内のガス圧を大気に放出させる空隙７１が形成される。このようにして可変容積圧力室７０の密封が解除された後においても、スライダ部１０は、その慣性によりさらに後退を継続し、ハンマー４をコイルスプリング３３の付勢力に抗して回動させる。
【００７６】
そして、スライダ部１０は、その慣性による後退により最後方位置をとる直前に、前方側当接部１１ａを可動部材４６の突出部４６ａに当接させる状態をとる。それにより、前端部を環状部材５に挿入させた前方位置をとる可動部材４６が、ガス通路６８を短縮させつつ、スライダ部１０の後退に伴って後退し、スライダ部１０が、図２２に示される如くの最後方位置をとるとき、圧力室形成部４１’に当接する後方位置をとって、弾倉部９の最上端部９ｂを開状態となす。最上端部９ｂが開状態にされた弾倉部９にあっては、それに充填された弾丸ＢＢのうち最上方位置にあるものが最上端部９ｂに押し上げられて保持される。
【００７７】
スライダ部１０は最後退位置におかれると、直ちにコイルスプリング２２の付勢力により基準位置に向けて前進する状態におかれる。このようにスライダ部１０が後退から前進に転じた際、ハンマー部４が、その基端部分４ａに回動レバー２０が係合することにより位置固定される。また、前進に転じたスライダ部１０は、前方側当接部１１ａを可動部材４６の突出部４６ａに当接させた状態から、後方側当接部１１ｂを可動部材４６の突出部４６ａに当接させる状態に移行する。それにより、後方位置をとる可動部材４６が、ガス通路６８を伸長させつつスライダ部１０の前進に伴って前進し、その前端部を弾倉部９の最上端部９ｂ内に挿入させ、そこに保持された弾丸ＢＢを、フレーム８に設けられたテーパー部８ｂに沿って装弾室３へと搬送する。それにより、スライダ部１０が基準位置をとるものとされたとき、図１６に示される如くに、前方位置をとるものとされた可動部材４６により、弾倉部９の最上端部９ｂが閉塞されるとともに装弾室３に弾丸ＢＢが確実に供給される。
【００７８】
このようにして装弾室３に弾丸ＢＢを供給する動作は、ガス圧制御部材８０における後方バルブ形成部８４が、ガス通路８５を複数の連通孔８３を通じて圧力室に４０に連通させることに端を発している。従って、ガス通路８５を複数の連通孔８３を通じて圧力室に４０に連通させる後方バルブ形成部８４は、蓄圧室１２を通じて圧力室４０に供給されたガス圧をガス通路８５を通じて受圧部２６に作用させ、スライダ部１０の後退及びそれに伴う可動部材４６の後退を生じさせて、弾倉部９から装弾室３への弾丸ＢＢの供給を準備する動作を行うことになる。
【００７９】
スライダ部１０が再度基準位置をとるものとされたとき、圧力室形成部４１’とスライダ部１０の有底筒状部２５とが相互係合状態におかれて、圧力室４０がスライダ部１０における第２の部分１０ｂ内に位置せしめられ、それにより、第１の位置をとる可動ピン部材２７の前方側部分２７ａに、後方位置をとるガス圧制御部材８０におけるガス通路形成部８６が係合して、可動ピン部材２７にその第１の位置を維持させる。また、基端部分４ａに係合する回動レバー２０によって位置固定されたハンマー部４は、殴打部分４ｂが第１の位置をとる可動ピン部材２７の係止部２７ｃから比較的大とされる所定の距離だけ離隔した基準回動位置を維持するものとされる。斯かるもとで、図１６に示される如くに、トリガー部１が発射完了位置から発射準備位置に戻されると、可動バー１３が、トリガー部１が引かれる前の位置に状態復帰せしめられる。そして、トリガー部１が再び引かれることにより、上述の如くにして、ハンマー部４が回動せしめられ、そのハンマー部４の回動に応じて装弾室３に装填された弾丸ＢＢが発射されて、その弾丸ＢＢの発射に続いてスライダ部１０の往復動が行われ、それに伴う可動部材４６の往復動により装弾室３に対する弾丸ＢＢの供給が行われる。
【００８０】
上述のように、図１２及び図１３に示される例にあっても、ガス圧制御部材８０が圧力室形成部４１’と共にグリップ部６の上方に配されるとともに、可動部材４６が圧力室形成部４１’の前方に配され、それにより、グリップ部６に配された蓄圧室１２からのガス圧の制御に関わる後方バルブ形成部８４及び前方バルブ形成部８７、及び、ガス通路８１，８５及び６８が、スライダ部１０が基準位置をとるときそのスライダ部１０におけるバレル部２の後方となる部分内に位置して、後方バルブ形成部部８４及び前方バルブ形成部８７、及び、ガス通路６８，８１及び８５のいずれもがグリップ部６に配されたものとはされない。従って、グリップ部６の構造が比較的簡単とされて構成部品点数が低減されるとともに、グリップ部６内に設けられる蓄圧室１２の容積を、バルブ形成部，ガス通路等によるに規制を受けることなく、十分大とすることができることになる。
【００８１】
図２３は、本願の特許請求の範囲における請求項１から請求項５まで及び請求項１１から請求項１５までのいずれかに記載された発明に係る自動弾丸供給機構付玩具銃の一例の部分を示す。この図２３に部分が示される例は、図２３に示される部分以外の部分については、前述の図１２に示される例と同様に構成されるものとされ、それゆえ、それらについての重複説明は省略される。
【００８２】
図２３に示される部分にあっては、図１２及び図１３に示される例における圧力室形成部４１’に相当する圧力室形成部９１，図１２及び図１３に示される例におけるガス圧制御部材８０に相当するガス圧制御部材９２、及び、図１２及び図１３に示される例における可動ピン部材２７に相当する可動ピン部材９３が備えられている。その他の構成は、図１２及び図１３に示される例の場合と同様であり、図１２及び図１３に示される例における各部に対応する部分には、図１２及び図１３に示される例と共通の符号が付されて示されている。
【００８３】
圧力室形成部９１は、蓄圧室形成部４２と一体的に構成されており、内部に蓄圧室１２に連通した圧力室４０を形成している。そして、圧力室形成部９１には、圧力室４０から装弾室３に向かって伸びるガス通路８１を形成するガス通路形成部８２が設けられており、それに加えて、圧力室４０からスライダ部１０における有底筒状部２５の底部、即ち、受圧部２６に向かうガス通路９４を形成するガス通路形成部９５が設けられている。そして、圧力室形成部９１におけるガス通路形成部８２が設けられた部分に、環状部材４４と環状シール部材４７とが固着されており、また、圧力室形成部９１におけるガス通路形成部９５が設けられた部分に、環状シール部材４８が固着されている。さらに、圧力室形成部９１における圧力室４０を形成する部分の内面側には、圧力室４０内に突出する環状部材９６が設けられている。
【００８４】
ガス圧制御部材９２は、圧力室形成部９１内に配されており、後方バルブ形成部９７と、後方バルブ形成部９７から圧力室形成部９１に配された環状シール部材４７を貫通して伸び、ガス通路形成部８２が形成するガス通路８１内に入り込む前方バルブ形成部９８と、後方バルブ形成部９７からガス通路形成部９５が形成するガス通路９４を通じて受圧部２６に向かって伸びる円柱状部９９とを有して、一体形成されている。そして、ガス圧制御部材９２は、圧力室形成部９１内において、圧力室４０内に突出する環状部材９６と後方バルブ形成部９７との間に配されたコイルスプリング１００によって、後方バルブ形成部９７が環状シール部材４８の傾斜面部に当接する方向に付勢されている。
【００８５】
後方バルブ形成部９７が環状シール部材４８の傾斜面部に当接するとき、前方バルブ形成部９８は環状シール部材４７に密接係合する。斯かる際には、環状シール部材４８の傾斜面部に当接する後方バルブ形成部９７が、圧力室形成部９１に設けられたガス通路形成部９５が形成するガス通路９４を圧力室４０から遮断し、また、環状シール部材４７に密接係合する前方バルブ形成部９８が、圧力室形成部９１に設けられたガス通路形成部８２が形成するガス通路８１を圧力室４０から遮断する。
【００８６】
可動ピン部材９３は、スライダ部１０における有底筒状部２５の底部を貫通して移動可能に配されており、ハンマー部４により選択的に殴打されるものとされている。そして、有底筒状部２５の底部を貫通する可動ピン部材９３は、有底筒状部２５内に位置するフランジ部９３ａと有底筒状部２５外に位置して係止部９３ｂを形成する後端部とを有しており、フランジ部９３ａは、ガス圧制御部材９２における円柱状部９９の後端面に対向する前端面を形成している。
【００８７】
さらに、圧力室４０内にあっては、ガス圧制御部材９２における前方バルブ形成部９８に嵌合して、ガス圧制御部材９２に対して移動可能とされたバルブ形成部１０１が配されている。このバルブ形成部１０１は、圧力室４０内において、環状シール部材４７との間に配されたコイルスプリング１０２によって、後方バルブ形成部９７に向かう方向に付勢されているとともに、圧力室形成部９１から突出する環状部材９６によってバルブ形成部９７に向かう方向の移動が規制されている。
【００８８】
このようなもとで、スライダ部１０が手動操作により一旦後退せしめられた後再び基準位置に戻された状態のもとで、トリガー部１が引かれ、それにより、図２４に示される如くに、ハンマー部４が可動ピン部材９３の後端部を殴打する状態をもって、有底筒状部２５の底部に殴打部分４ｂを当接させる位置におかれると、ハンマー部４により殴打された可動ピン部材９３は、フランジ部９３ａを有底筒状部２５の底部に係合させる状態から、後端部とされる係止部９３ｂを有底筒状部２５の底部に係合させる状態へと移行する。このとき、可動ピン部材９３は、そのフランジ部９３ａが形成する前端面をガス圧制御部材９２における円柱状部９９の後端面に当接させて、ガス圧制御部材９２を、コイルスプリング１００の付勢力に抗して前方に押圧移動させる。
【００８９】
それにより、ガス圧制御部材９２が、圧力室４０内に配された後方バルブ形成部９７を環状シール部材４８の傾斜面に当接させる後方位置から、後方バルブ形成部９７を環状シール部材４８から離隔させる前方位置をとる。即ち、ガス圧制御部材９２は、ハンマー部４により殴打された可動ピン部材９３を通じて伝達されるハンマー部４の押圧力により、後方位置から前方位置へと移動するものとされ、その前方位置を慣性により所定の期間維持する。
【００９０】
斯かるガス圧制御部材９２の後方位置から前方位置への移動に伴う後方バルブ形成部９７の移動によって、圧力室４０から遮断された状態にあったガス通路９４が、圧力室４０に連通する状態とされ、蓄圧室１２を通じて圧力室４０に供給されたガス圧が、ガス通路９４に急速に流入して可動ピン部材９３のフランジ部９３ａが形成する前端面、さらには、スライダ部１０における有底筒状部２５の底部、即ち、受圧部２６に作用する状態が得られる。
【００９１】
また、それとともに、ガス圧制御部材９２の後方位置から前方位置への移動により、ガス圧制御部材９２における前方バルブ形成部９８が、前方、即ち、装弾室３に向かう方向に移動し、環状シール部材４７に密接係合した状態から環状シール部材４７との密接係合を解除する状態に移行する。その結果、圧力室４０から遮断された状態にあったガス通路８１が、圧力室４０に連通する状態とされる。
【００９２】
このようにして、圧力室４０から遮断された状態にあったガス通路８１が、圧力室４０に連通する状態とされることにより、蓄圧室１２を通じて圧力室４０に供給されたガス圧が、ガス通路８１及びそれに連なるガス通路６８を通じて急速に装弾室３に供給される状態が得られる。即ち、ガス圧制御部材９２における前方バルブ形成部９８は、トリガー部１を引く操作に連動して、ガス通路８１を圧力室４０から遮断する状態から、ガス通路８１を圧力室４０に連通させる状態に移行するのであり、それにより、グリップ部に配された蓄圧室１２を通じて圧力室４０に供給されたガス圧をガス通路８１及び６８を通じて装弾室３に供給することになる。
【００９３】
蓄圧室１２を通じて圧力室４０に供給されたガス圧がガス通路８１及び６８を通じて装弾室３に供給されることにより、図２４に示される如くに装弾室３に装填された弾丸ＢＢが、蓄圧室１２からのガス圧によって発射され、装弾室３から環状部材５の前方側、即ち、インナーバレル２ａ内へと移動せしめられる。インナーバレル２ａ内へと移動した弾丸ＢＢは、その後方側となるインナーバレル２ａ内における空間を急速に拡大しつつインナーバレル２ａの前端部に向かって進んでいき、その後、インナーバレル２ａの前端部さらにはアウターバレル部２ｂの前端部からバレル部２の外部に射出される（図２６）。
【００９４】
このように、装弾室３に装填された弾丸ＢＢが、装弾室３からインナーバレル２ａ内へ移動してインナーバレル２ａ内をバレル部２の外部に射出されるべく進んでいくとき、インナーバレル２ａ内における弾丸ＢＢの後方の空間の急激な拡大等により、インナーバレル２ａ内さらにはガス通路６８及びそれが連なるガス通路８１内にガス圧低下が生じる。このガス圧低下は、圧力室４０内において、バルブ形成部１０１に作用し、バルブ形成部１０１を、図２３及び図２４に示される如くの後方位置をとる状態から、コイルスプリング１０２の付勢力に抗する方向に移動させて、図２５及び図２６に示される如くの、ガス通路８１を圧力室４０から遮断する前方位置をとる状態に移行させる。その結果、蓄圧室１２を通じて圧力室４０に供給されたガス圧のガス通路８１への供給が停止され、蓄圧室１２を通じて圧力室４０に供給されたガス圧は、全て、ガス通路９４に流入して、可動ピン部材９３のフランジ部９３ａが形成する前端面及び受圧部２６に作用する状態とされる。
【００９５】
ガス通路９４に流入して可動ピン部材９３のフランジ部９３ａが形成する前端面及び受圧部２６に作用するガス圧は、可動ピン部材９３及び受圧部２６を、後方に押圧する。斯かる際、図２６に示される如くに、有底筒状部２５の底部に係止部９３ｂを係合させた可動ピン部材９３は、その係止部９３ｂにハンマー部４の殴打部分４ｂが当接した状態にあり、ガス通路９４に流入したガス圧により押圧されることにより、係止部９３ｂによってハンマー部４を、図１２に示されるコイルスプリング３３と同様のものとされるコイルスプリングの付勢力に抗する方向に回動させつつ後退し、ガス圧制御部材９２における円柱状部９９からその後方側に離隔する。
【００９６】
そして、ガス通路９４に流入して可動ピン部材９３及び受圧部２６を後方に押圧するガス圧は、図２６に示される如くに、スライダ部１０をコイルスプリング２２の付勢力に抗して基準位置から後退させる。そして、後退するスライダ部１０の有底筒状部２５は、可動ピン部材９３と共にあるいは可動ピン部材９３に代わって、ハンマー部４を、図１２に示されるコイルスプリング３３と同様のものとされるコイルスプリングの付勢力に抗して回動させる。
【００９７】
このようなスライダ部１０の基準位置からの後退に際しては、圧力室形成部９１の後端部とその圧力室形成部９１に係合するスライダ部１０の有底筒状部２５との間に、スライダ部１０の後退に伴って容積が拡大される可変容積圧力室７０が形成される。その結果、有底筒状部２５の底部が形成する受圧部２６と可動ピン部材９３のフランジ部９３ａとには、ガス通路９４を通じて可変容積圧力室７０に供給される圧力室４０からのガス圧が作用せしめられる。
【００９８】
受圧部２６に作用するガス圧によって可変容積圧力室７０を拡大させつつ後退するスライダ部１０により回動せしめられるハンマー部４は、可動ピン部材９３に対する位置規制を急速に弱めていく。それに伴って、可動ピン部材９３が、それに作用するガス圧により有底筒状部２５の底部に係止部９３ｂを係合させる位置から、有底筒状部２５の底部にフランジ部９３ａを係合させる位置に向かって移動する。
【００９９】
斯かる際、ガス圧制御部材９２は、装弾室３に装填された弾丸ＢＢが発射された後、スライダ部１０の後退中に、ガス圧制御部材９２に前方位置を維持させていた慣性力を失って、コイルスプリング１００の付勢力を受けて後方位置へと移動し、図２６に示される如くに、再び、後方バルブ形成部９７を環状シール部材４８の傾斜面に当接させるとともに、前方バルブ形成部９８を環状シール部材４７に密接係合させる。それにより、環状シール部材４８の傾斜面に当接した後方バルブ形成部９７によって、ガス通路９４が圧力室４０から遮断されて、圧力室４０からガス通路９４へのガス圧の供給が停止されるとともに、前方バルブ形成部９８によって、ガス通路８１が圧力室４０から遮断されて、圧力室４０からガス通路８１へのガス圧の供給が停止される。即ち、ガス圧制御部材９２は、装弾室３に装填された弾丸ＢＢが発射された後、自動的に、ガス通路８１及びガス通路９４の夫々を圧力室４０に連通させる状態からガス通路８１及びガス通路９４を夫々を圧力室４０から遮断する状態に戻るのである。
【０１００】
圧力室４０からガス通路９４へのガス圧の供給が停止された後においても、スライダ部１０は、その慣性と、ガス通路９４及び可変容積圧力室７０内に残存するガス圧とによって後退を継続する。そして、後退を継続するスライダ部１０が所定の位置に到達すると、圧力室形成部９１との相互係合状態におかれていた有底筒状部２５が圧力室形成部９１から離脱し、それにより圧力室形成部９１と有底筒状部２５との間に、ガス通路９４内及び可変容積圧力室７０内のガス圧を大気に放出させる空隙が形成される。このようにして可変容積圧力室７０の密封が解除された後においても、スライダ部１０は、その慣性によりさらに後退を継続し、ハンマー４を、図１２に示されるコイルスプリング３３と同様のものとされるコイルスプリングの付勢力に抗して回動させる。
【０１０１】
この後におけるスライダ部１０の更なる後退及びその後の前進による装弾室３への弾丸ＢＢの供給、さらには、その他の動作及び作用効果については、図１２及び図１３に示される例の場合と同様である。
【０１０２】
【発明の効果】
以上の説明から明らかな如く、本願の特許請求の範囲における請求項１から請求項１５までのいずれかに記載された発明に係る自動弾丸供給機構付玩具銃にあっては、バルブ形成部が、第１及び第２のガス通路の夫々を圧力室から遮断する状態から所定の期間第１及び第２のガス通路の夫々を圧力室に連通させる状態に移行して、蓄圧室を通じて圧力室に供給されたガス圧を、第１及び第３のガス通路を通じて装弾室に供給するとともに第２のガス通路を通じて受圧部に作用させる。それにより、圧力室からのガス圧が利用されて、装弾室に装填された弾丸が発射され、また、圧力室から第２のガス通路を通じて受圧部に作用するガス圧によるスライダ部の後退及びそれに伴う可動部材の後退が生じ、弾倉部から装弾室への弾丸の供給が準備され、従って、圧力室からのガス圧が利用されて、弾倉部から装弾室への弾丸の供給を行うためのスライダ部の後退が行われる。
【０１０３】
このようにして、本願の特許請求の範囲における請求項１から請求項１５までのいずれかに記載された発明に係る自動弾丸供給機構付玩具銃によれば、グリップ部内にガス圧を貯留する蓄圧室が配され、圧力室形成部に蓄圧室に連通する圧力室が形成されるもとで、蓄圧室に通じた圧力室からガス通路を通じて供給されるガス圧が利用されて、装弾室からの弾丸の発射と装弾室に弾丸を供給するためのスライダの後退とが行われるのであり、グリップ部には、蓄圧室は配されるが、それから伸びるガス通路を開閉する開閉弁として機能するものは設けられない。それゆえ、グリップ部の構造を比較的簡単であって構成部品点数が低減されることになるものとできるとともに、グリップ部内に設けられる蓄圧室の容積を十分大とすることができることになる。
【図面の簡単な説明】
【図１】  本願の特許請求の範囲における請求項１から請求項７までのいずれかに記載された発明に係る自動弾丸供給機構付玩具銃の一例の要部の構成及び動作の説明に供される部分断面図である。
【図２】  図１に要部が示される例の構成及び動作の説明に供される断面図である。
【図３】  図２に示される例におけるガス圧制御部材の構成の説明に供される図である。
【図４】  図２に示される例の構成及び動作の説明に供される部分断面図である。
【図５】  図２に示される例の構成及び動作の説明に供される部分断面図である。
【図６】  図２に示される例の構成及び動作の説明に供される部分断面図である。
【図７】  図２に示される例の構成及び動作の説明に供される部分断面図である。
【図８】  図２に示される例の構成及び動作の説明に供される部分断面図である。
【図９】  図２に示される例の構成及び動作の説明に供される部分断面図である。
【図１０】  図２に示される例の構成及び動作の説明に供される部分断面図である。
【図１１】  図２に示される例の構成及び動作の説明に供される部分断面図である。
【図１２】  本願の特許請求の範囲における請求項１から請求項５まで及び請求項８から請求項１０までのいずれかに記載された発明に係る自動弾丸供給機構付玩具銃の一例の構成及び動作の説明に供される断面図である。
【図１３】  図１２に示される例の構成及び動作の説明に供される部分断面図である。
【図１４】  図１２に示される例におけるガス圧制御部材の構成の説明に供される図である。
【図１５】  図１２に示される例の構成及び動作の説明に供される部分断面図である。
【図１６】  図１２に示される例の構成及び動作の説明に供される部分断面図である。
【図１７】  図１２に示される例の構成及び動作の説明に供される部分断面図である。
【図１８】  図１２に示される例の構成及び動作の説明に供される部分断面図である。
【図１９】  図１２に示される例の構成及び動作の説明に供される部分断面図である。
【図２０】  図１２に示される例の構成及び動作の説明に供される部分断面図である。
【図２１】  図１２に示される例の構成及び動作の説明に供される部分断面図である。
【図２２】  図１２に示される例の構成及び動作の説明に供される部分断面図である。
【図２３】  本願の特許請求の範囲における請求項１から請求項５まで及び請求項１１から請求項１５までのいずれかに記載された発明に係る自動弾丸供給機構付玩具銃の一例の要部の構成及び動作の説明に供される部分断面図である。
【図２４】  図２３に要部が示される例の構成及び動作の説明に供される部分断面図である。
【図２５】  図２３に要部が示される例の構成及び動作の説明に供される部分断面図である。
【図２６】  図２３に要部が示される例の構成及び動作の説明に供される部分断面図である。
【符号の説明】
１・・・トリガー部，  ２・・・バレル部，  ３・・・装弾室，  ４・・・ハンマー部，  ５・・・環状部材，  ６・・・グリップ部，  ９・・・弾倉部，  １０・・・スライダ部，  １２・・・蓄圧室，  ２２，３３，６４，６９，８８，１００，１０２・・・コイルスプリング，  ２５・・・有底筒状部，  ２６・・・受圧部，  ２７，９３・・・可動ピン部材，  ４０・・・圧力室，  ４１，４１’，９１・・・圧力室形成部，  ４５，８０，９２・・・ガス圧制御部材，４６・・・可動部材，  ４７，４８・・・環状シール部材，  ５０，１０１・・・バルブ形成部，  ５１，５５，６８，８１，８５，９４・・・ガス通路，  ５２，５７，８２，８６，９５・・・ガス通路形成部，  ５６・・・連結通路，６７，８３・・・連通孔、  ７０・・・可変容積圧力室，  ８４，９７・・・後方バルブ形成部，  ８７，９８・・・前方バルブ形成部，  ＢＢ・・・弾丸
【図１】
0003711279.tif 000002
【図２】
0003711279.tif 000003
【図３】
0003711279.tif 000004
【図４】
0003711279.tif 000005
【図５】
0003711279.tif 000006
【図６】
0003711279.tif 000007
【図７】
0003711279.tif 000008
【図８】
0003711279.tif 000009
【図９】
0003711279.tif 000010
【図１０】
0003711279.tif 000011
【図１１】
0003711279.tif 000012
【図１２】
0003711279.tif 000013
【図１３】
0003711279.tif 000014
【図１４】
0003711279.tif 000015
【図１５】
0003711279.tif 000016
【図１６】
0003711279.tif 000017
【図１７】
0003711279.tif 000018
【図１８】
0003711279.tif 000019
【図１９】
0003711279.tif 000020
【図２０】
0003711279.tif 000021
【図２１】
0003711279.tif 000022
【図２２】
0003711279.tif 000023
【図２３】
0003711279.tif 000024
【図２４】
0003711279.tif 000025
【図２５】
0003711279.tif 000026
【図２６】
0003711279.tif 000027